(57)【要約】【課題】フラップ駆動用のモータを取り付けて固定する際に、モータが袋状受部と干渉せず、しかも、ねじ込み作業により袋状受部の係止が外れることのない良好な作業性が得られる室内機ユニットのフラップ駆動用モータ取付構造を提供すること。【解決手段】室内機ユニットに設けられた上下フラップを駆動するフラップ駆動用のモータ１６が、一方の板状舌部１７Ｂをブラケット２０に設けた袋状受部２１に係止するとともに、他方の板状舌部１７Ａをねじ止めして固定される室内機ユニットのフラップ駆動用モータ取付構造において、袋状受部２１が板状舌部１７Ｂをねじ止め作業のねじ回転方向と同方向から受け入れて係止する。【選択図】図１
2007212012.tif 000002
【特許請求の範囲】
【請求項１】
室内機ユニットに設けられた上下フラップを駆動するフラップ駆動用モータが、一方の板状舌部をブラケットに設けた袋状受部に係止するとともに、他方の板状舌部をねじ止めして固定される室内機ユニットのフラップ駆動用モータ取付構造において、
前記袋状受部が前記板状舌部をねじ止め作業時のねじ回転方向と同方向から受け入れて係止することを特徴とする室内機ユニットのフラップ駆動用モータ取付構造。
【請求項２】
前記袋状受部及び前記ブラケットに穿設されるモータ出力軸の貫通穴は、前記モータの端子部が回転移動するスペースを確保した形状及び配置としたことを特徴とする請求項１に記載の室内機ユニットのフラップ駆動用モータ取付構造。
【発明の詳細な説明】
【技術分野】
【０００１】
本発明は、室内の空気を冷却、除湿または加熱して空調運転を行う空気調和装置の室内機ユニットに係り、特に、上下フラップを駆動するために設けられている室内機ユニットのフラップ駆動用モータ取付構造に関する。
【背景技術】
【０００２】
従来より、ヒートポンプを用いて室内の冷房運転、除湿運転及び暖房運転を行う空気調和装置が普及している。この空気調和装置は、圧縮機及び室外熱交換器を備えた室外機ユニットと、室内ファン及び室内熱交換器を備えた室内機ユニットとの間を冷媒配管で連結し、圧縮機により送出されて循環する冷媒が状態変化を繰り返すことで空気を冷却または加熱するように構成されている。
このうち、空調対象の室内に設置される室内機ユニットは、ファンモータ（電動機）を駆動源とする室内ファンの運転により吸込口から室内の空気（室内気）を導入し、この室内気を冷媒が通過する室内熱交換器で冷却または加熱して得られる空調空気を吹出口から室内に吹き出すように構成されている。
【０００３】
上述した室内機ユニットには、吹出口から吹き出す空調空気の吹出方向を上下に調整するため、ステッピングモータ等のフラップ駆動用モータ（以下、「モータ」と省略する）を駆動源として上下方向に動作する上下フラップが設けられている。このモータは、ブラケットを介して室内機ユニットのベース部材に固定されている。なお、室内機ユニットのベース部材は、前面パネルと一体化されることにより、各種の機器類を収納するケーシングを形成している。
【０００４】
ここで、従来のモータ取付構造を図５及び図６に基づいて簡単に説明する。
図５は従来のモータ取付構造を示す要部斜視図、図６はモータ及びブラケットを示す斜視図であり、上下フラップを駆動する略円筒状のモータ１には、ブラケット５への取付・固定用部材として、左右一対の板状舌部２，３が半径方向へ突出して設けられている。この板状舌部２，３は、モータ１が固定された状態において、ブラケット下側の板状舌部２がねじ止めされ、上側の板状舌部３がブラケット５の袋状受部６に係止される。この場合には、モータ１から突出する端子部４が組付作業で袋状受部６と干渉しないようにするため、モータ１を反時計廻りの左回転をさせることで、板状舌部３を袋状受部６内に挿入して係止させている。なお、図中の符号１１は室内機ユニットのケーシングを構成するベースであり、上下フラップが軸支されるとともに、モータ１がブラケット５とともに固定される部材である。
【０００５】
また、上述したように、板状舌部の係止及びねじ止めを併用して固定するモータ取付構造の他にも、モータとブラケットとの間をねじで固定する取付構造が一般的に採用されている。（たとえば、特許文献１参照）
【特許文献１】特開平１０−８９７６０号公報
【発明の開示】
【発明が解決しようとする課題】
【０００６】
しかしながら、上述した従来のモータ取付構造では、モータ１の上側に設けた板状舌部３を反時計回りに回転させて袋状受部６内に係止するため、下側に設けた板状舌部２をねじ止めする際には、ねじを右方向に締め込んで固定するねじ込み作業によりモータ１が連れ回りし、袋状受部６の係止が外れるという問題があった。すなわち、板状舌部３を袋状受部６に挿入する回転方向と、ねじ込み作業による連れ回りの回転方向とが逆向きであるから、せっかく係止された状態の板状舌部３がねじ込み作業により引き出されてしまうことがあり、結果的に係止が外れることがあるため作業性の面で好ましくない。
【０００７】
本発明は、上記の事情に鑑みてなされたものであり、その目的とするところは、フラップ駆動用のモータを取り付けて固定する際に、モータが袋状受部と干渉せず、しかも、ねじ込み作業により袋状受部の係止が外れることのない良好な作業性を得られる室内機ユニットのフラップ駆動用モータ取付構造を提供することにある。
【課題を解決するための手段】
【０００８】
本発明は、上記の課題を解決するため、下記の手段を採用した。
本発明は、室内機ユニットに設けられた上下フラップを駆動するフラップ駆動用モータが、一方の板状舌部をブラケットに設けた袋状受部に係止するとともに、他方の板状舌部をねじ止めして固定される室内機ユニットのフラップ駆動用モータ取付構造において、
前記袋状受部が前記板状舌部をねじ止め作業時のねじ回転方向と同方向から受け入れて係止することを特徴とするものである。
【０００９】
このような室内機ユニットのフラップ駆動用モータ取付構造によれば、袋状受部が板状舌部をねじ止め作業時のねじ回転方向と同方向から受け入れて係止するので、ねじ止め作業のねじ締め付けによりモータは係止時の挿入と同方向に連れ回りする。従って、板状舌部は袋状受部の壁面に突き当たるので、モータの連れ回りがなくなるとともに、板状舌部の係止が袋状受部から外れることもない。
【００１０】
上記の発明において、前記袋状受部及び前記ブラケットに穿設されるモータ出力軸の貫通穴は、前記モータの端子部が回転移動するスペースを確保した形状及び配置とすることが好ましく、これにより、モータを回転させて袋状受部に板状舌部を係止させる作業が、端子部の干渉により妨げられることはない。
【発明の効果】
【００１１】
上述した本発明によれば、室内機ユニットの上下フラップ駆動用として取り付けられるステッピングモータの取付作業が容易になるので、作業性の向上により不具合の発生を防止し、モータ取付構造及び室内機ユニットの信頼性や品質を向上させることができる。
【発明を実施するための最良の形態】
【００１２】
以下、本発明に係る室内機ユニットのフラップ駆動用モータ取付構造の一実施形態を図面に基づいて説明する。
図４は、室内機ユニット１０の外観要部を示す部分断面斜視図である。この室内ユニット１０は、ベース１１と前面パネル１２とが一体化されることにより、各種の機器類を収納するケーシングが形成されている。
一方のベース１１には、図示しない室内熱交換器、クロスフローファン及びコントロールユニット等の各種機器が設置されている。
【００１３】
前面パネル１２には、前面及び上面のそれぞれに吸込グリル（吸込口）１３が形成されている。室内の空気（室内気）は、これら吸込グリル１３により多方向から室内ユニット１０内に吸い込まれる。また、前面パネル１２には、その下方に吹出口１４が形成されており、この吹出口１４から室内熱交換器を通って暖められた空気あるいは冷やされた空気（以下、「空調空気」と呼ぶ）が吹き出されるようになっている。なお、このような空気吸込及び空気吹出は、クロスフローファンが回転することによって行われる。
【００１４】
吹出口１４には、空調空気の吹出方向を上下方向に調整する上下フラップ１５及び左右方向に調整する左右フラップ（不図示）が設けられている。
上下フラップ１５は、ステッピングモータ（以下、「モータ」と呼ぶ）１６の駆動力により上下両方向へ段階的に回動して角度を変化させ、吹出口１４から吹き出す空調空気の吹出方向を上下方向に調整する。モータ１６は、図１から図３に示すように、ブラケット２０を介してベース１１に固定され、モータ１６の出力軸１６ａには、図示しないリンク機構等を介して上下フラップ１５の回動軸が連結されている。なお、上下フラップ１５の回動軸は、ベース１１に設けた軸受に支持されている。
【００１５】
モータ１６は、略円柱形状とした本体から半径方向へ突出する左右一対の板状舌部１７Ａ，１７Ｂを備えている。これら板状舌部１７Ａ，１７Ｂは略同一直線上の配置とされ、右側の板状舌部１７Ａはブラケット２０とともにねじ３０を用いてベース１１にねじ止めされる。また、左側の板状舌部１７Ｂは、ブラケット２０に設けた袋状受部２１内に係止される。すなわち、モータ１６は、ブラケット２０に対して板状舌部１７Ｂの係止及び板状舌部１７Ａのねじ止めにより固定され、さらに、ブラケット２０は、ねじ３１及びベース１１に対して板状舌部１７Ａを共締めするねじ３０により固定されている。
なお、モータ１６には、本体から突出する端子部１８が設けられている。
【００１６】
ブラケット２０には、板状舌部１７Ｂを係止する袋状受部２１の他、ねじ３０，３１をねじ込むためのねじ穴２２，２３と、出力軸１６ａを通すための軸貫通穴２４とが穿設されている。
袋状受部２１は、図２に示すように、側面に板状舌部１７Ｂを通す入口開口を備えた断面コ字状の部材であり、所定の固定位置にある板状舌部１７Ｂを収納して摩擦力等により係止する係止空間２１ａを形成している。この袋状受部２１は、図３に示すように、モータ１６が所定の固定位置にある状態において、互いに離間する面間距離が確保されてクリアランスＣ１を有する配置及び形状とされる。このクリアランスＣ１は、モータ１６から突出した端子部１８が後述するモータ１６の取付時において、袋状受部２１と干渉するのを防止する目的で設定される。
また、軸貫通穴２４の位置及び直径についても、上述した袋状受部２１と同様の目的から、モータ１６が所定の固定位置にある状態において、出力軸１６ａとの間にクリアランスＣ１を確保した設定とされる。
【００１７】
さて、上述した構成のモータ取付構造では、モータ１６を取り付ける際、最初に上述したクリアランスＣ１を利用して出力軸１６ａを軸貫通穴２４に挿入する。このとき、左側の板状舌部１７Ｂが袋状受部２１より下方に位置し、かつ、右側の板状舌部１７Ａがねじ穴２２より上方に位置するように挿入する。
この後、出力軸１６ａを可能なだけ右側に寄せ、出力軸１６ａが軸貫通穴２４に接する位置からモータ１６の全体を右回転させることにより、左側の板状舌部１７Ｂを袋状受部２１内の係止空間２１ａ内に挿入する。このとき、モータ１６の回転移動は、図１に実線（出力軸１６ａは破線）で示す開始位置から始まり、一点鎖線で示す途中位置を経て、二点鎖線で示す所定の固定位置（回転終了位置）まで右回転するが、この回転と同時に略クリアランスＣ１分だけ軸中心側へ移動する。
【００１８】
こうしてモータ１６が所定位置の固定位置まで移動した後には、右側の板状舌部１７Ａのねじ穴２２にねじ３０をねじ込んで、ブラケット２０とともにベース１１に固定する。このとき、ねじ３０のねじ込みにより、モータ１６も同方向に連れ回りしようとするが、反対側の板状舌部１７Ｂが袋状受部２１に突き当たって係止されるため、モータ１の連れ回りが防止される。このため、板状舌部１７Ｂの係止が確実に維持されるだけでなく、ねじ３０のねじ込みも容易になって作業性が向上する。
【００１９】
すなわち、袋状受部２１及び軸貫通穴２４にクリアランスＣ１を設けた配置及び形状とし、しかも、袋状受部２１の入口開口は、ねじ３０のねじ込みによりモータ１６が連れ回りする方向を考慮した配置としたので、モータ１６の干渉を防止した取付を可能にするとともに、係止が外れにくい優れた作業性を得ることができる。従って、モータ１６をねじ止めする作業が容易になって不具合を生じにくくなるので、モータ１６の取付構造及び室内機ユニット１０の品質及び信頼性が向上する。
なお、本発明は上述した実施形態に限定されるものではなく、本発明の要旨を逸脱しない範囲内において適宜変更することができる。
【図面の簡単な説明】
【００２０】
【図１】本発明に係る室内機ユニットのフラップ駆動用モータ取付構造の一実施形態を示す図で、ステッピングモータの取付作業を示す説明図である。
【図２】図１のＡ−Ａ断面図である。
【図３】室内機ユニットにフラップ駆動用モータを取り付けた状態を示す要部の側面図である。
【図４】室内機ユニットの要部を示す部分断面斜視図である。
【図５】従来のフラップ駆動用モータ取付構造例を示す要部の斜視図である。
【図６】図５のステッピングモータ及びブラケットの組付状態を示す斜視図である。
【符号の説明】
【００２１】
１０    室内機ユニット
１１    ベース
１５    上下フラップ
１６    ステッピングモータ（モータ）
１６ａ    出力軸
１７Ａ，１７Ｂ    板状舌部
１８    端子部
１９，２２，２３    ねじ穴
２０    ブラケット
２１    袋状受け部
２４    軸貫通穴
３０，３１    ねじ
【図１】
2007212012.tif 000003
【図２】
2007212012.tif 000004
【図３】
2007212012.tif 000005
【図４】
2007212012.tif 000006
【図５】
2007212012.tif 000007
【図６】
2007212012.tif 000008